(57)【要約】     【課題】  本発明は、屋内の狭いスペースであっても、長距離の打撃練習を効果的に行うことができる室内ゴルフ練習具を提供する。    【解決手段】  ゴルフボールを受け止め、ゴルフボールの跳ね返りを抑制するための衝撃吸収材を有する衝突体と、衝突体の手前に位置する滑走板と、を備え、衝突体に向けて打撃されたゴルフボールが衝突体に衝突して跳ね返って滑走板上に静止する位置及び／又はその近傍に、屋外でゴルフを行うのと同じ条件又はそれに近い条件の下で、衝突体に向けて打撃するのと同じ大きさの打撃力をゴルフボールに与えて該ゴルフボールが打撃方向に移動する距離を表示する表示部を設けたことを特徴とする室内ゴルフ練習具。  【選択図】    図１
2006110137.tif 000002
【特許請求の範囲】
【請求項１】
ゴルフボールを受け止め、ゴルフボールの跳ね返りを抑制するための衝撃吸収材を有する衝突体と、衝突体の手前に位置する滑走板と、を備え、
衝突体に向けて打撃されたゴルフボールが衝突体に衝突して跳ね返って滑走板上に静止する位置及び／又はその近傍に、屋外でゴルフを行うのと同じ条件又はそれに近い条件の下で、衝突体に向けて打撃するのと同じ大きさの打撃力をゴルフボールに与えて該ゴルフボールが打撃方向に移動する距離を表示する表示部を設けたことを特徴とする室内ゴルフ練習具。
【請求項２】
衝撃吸収材は、低反発ウレタンフォームであることを特徴とする請求項１に記載の室内ゴルフ練習具。
【請求項３】
衝突体は、低反発性ウレタンフォームで形成された第１板状体、該低反発性ウレタンフォームよりも反発性の高いウレタンフォームで形成された第２板状体、及び耐衝撃性を有する表面板の順に積層し、該表面板にゴルフボールを直接衝突させるように構成したことを特徴とする請求項２に記載の室内ゴルフ練習具。
【請求項４】
低反発性ウレタンフォームにゴルフボールを直接衝突させるように構成したことを特徴とする請求項２に記載の室内ゴルフ練習具。
【請求項５】
滑走板の両側に落下防止体を配設したことを特徴とする請求項１から４のいずれかに記載の室内ゴルフ練習具。
【請求項６】
落下防止板に前記表示部を設けたことを特徴とする請求項１から５のいずれかに記載の室内ゴルフ練習具。
【発明の詳細な説明】
【技術分野】
【０００１】
本発明は、冬季や雨の日等において室内でゴルフ、グランドゴルフ、パークゴルフ、ゲートボール等の練習を手軽に行うための室内ゴルフ練習器具に関するものである。
【背景技術】
【０００２】
グランドゴルフの室内ゴルフ練習具は、縦長に形成された滑走板の一端部にホールポストの載置部が設けられ、練習時には滑走板の他端部にボールを置き、クラブでホールポストをねらってボールを打つように構成されている、ゴルフやパークゴルフでは、ホールポストの載置部の印に替えて穴が設けられる。
【０００３】
しかしながら、グランドゴルフの標準コースが１５〜５０ｍであり、また、パークゴルフのそれは通常１５〜１００ｍであるのに対して、室内ゴルフ練習具の滑走板の長さは、室内スペース等との関係で、２〜５ｍのものに限られ、従って、室内では短距離の打撃練習しかできないという問題があった。
【発明の開示】
【発明が解決しようとする課題】
【０００４】
本発明は、屋内の狭いスペースであっても、長距離の打撃練習を効果的に行うことができる室内ゴルフ練習具を提供する。
【課題を解決するための手段】
【０００５】
本発明者は、前記課題を解決するために鋭意研究を重ねて次の発明を完成させた。
１．ゴルフボールを受け止め、ゴルフボールの跳ね返りを抑制するための衝撃吸収材を有する衝突体と、衝突体の手前に位置する滑走板と、を備え、衝突体に向けて打撃されたゴルフボールが衝突体に衝突して跳ね返って滑走板上に静止する位置及び／又はその近傍に、屋外でゴルフを行うのと同じ条件又はそれに近い条件の下で、衝突体に向けて打撃するのと同じ大きさの打撃力をゴルフボールに与えて該ゴルフボールが打撃方向に移動する距離を表示する表示部を設けたことを特徴とする室内ゴルフ練習具。
２．撃吸収材は、低反発ウレタンフォームであることを特徴とする前記１に記載の室内ゴルフ練習具。
３．衝突体は、低反発性ウレタンフォームで形成された第１板状体、前記低反発性ウレタンフォームより反発性の高いウレタンフォームで形成された第２板状体、及び耐衝撃性を有する表面板の順に積層し、該表面板にゴルフボールを直接衝突させるように構成したことを特徴とする前記２に記載の室内ゴルフ練習具。
４．低反発性ウレタンフォームにゴルフボールを直接衝突させるように構成したことを特徴とする前記２に記載の室内ゴルフ練習具。
５．滑走板の両側に落下防止体を配設したことを特徴とする前記１から４のいずれかに記載の室内ゴルフ練習具。
６．落下防止板に前記表示部を設けたことを特徴とする前記１から５のいずれかに記載の室内ゴルフ練習具。
【発明の効果】
【０００６】
本発明の室内ゴルフ練習具によれば、ゴルフボールを受け止め、且つ、ゴルフボールの跳ね返りを抑制するための衝撃吸収材を有する衝突体を備えたので、打撃されたゴルフボールを衝突体に衝突させることによってゴルフボールの跳ね返り距離が短くなり、室内の狭いスペースにおいて長距離の寄せ練習等が可能になる。
【０００７】
また、衝撃吸収材の吸音効果によって、騒音の発生を抑えることができる。
【０００８】
また、衝突体に向けて打撃されたゴルフボールが衝突体に衝突して跳ね返って滑走板上に静止する位置及び／又はその近傍に、屋外でゴルフを行うのと同じ条件又はそれに近い条件の下で、衝突体に向けて打撃するのと同じ大きさの打撃力をゴルフボールに与えて該ゴルフボールが打撃方向に移動する距離を表示する表示部を設けたので、ゴルフボールの移動距離が衝撃吸収材によって短くなっても、屋外でゴルフを行うのと同じ条件又はそれに近い条件の下での移動距離を、表示部で確認することができ、狭い室内であっても実際のゴルフコースで使用されるゴルフボール等の用具を用いて屋外で長距離練習をするのと同じような練習を効果的に行うことができる。
【０００９】
また、衝突体は、低反発性ウレタンフォームで形成された第１板状体、前記低反発性ウレタンフォームよりも反発性の高いウレタンフォームで形成された第２板状体、及び耐衝撃性を有する表面板の順に積層し、該表面板にゴルフボールを直接衝突させるように構成すれば、復元速度の遅い低反発性ウレタンフォームを用いても、低反発性ウレタンフォームより反発性が高く復元速度の速いウレタンフォームが、復元途中の低反発性ウレタンフォームの前側に位置してこれをカバーすることによって、短時間で次の打撃練習を行う態勢を整えることができ、連続した打撃練習が可能になる。すなわち、表示部の位置は、低反発性ウレタンフォームの復元が完了した衝突体にボールを衝突させることによって決められるが、低反発性ウレタンフォームの復元が完了していない衝突体にボールを衝突させても、該復元が完了した衝突体にボールを衝突させたのとほぼ同じ位置でボールを停止するように、第１及び第２の板状体の厚み等を調整して表示部の誤差を小さくでき、短時間で次の打撃練習を行う態勢を整えることができる。
【００１０】
更に、第２板状体の前に耐衝撃性を有する表面板を位置させることによって、衝撃吸収材を保護して衝突体の耐久性を向上させることができる。
【００１１】
また、低反発性ウレタンフォームにゴルフボールを直接衝突させるように構成すれば、ボールの衝突跡が復元力の遅い低反発性ウレタンフォームに比較的長く残るので、ボールの移動方向を確認することができ、次の打撃練習の参考にすることができ、多面的な練習を行うことができることになる。
【発明を実施するための最良の形態】
【００１２】
室内ゴルフ練習具は、図１〜図４のように平面視が長方形状の滑走板１と、滑走板１の前端部に配設され、ゴルフボールを受け止めてゴルフボールの跳ね返りを抑制するための衝撃吸収する板状の衝突体２と、ゴルフボールの移動距離を表示する表示部３と、滑走板１の両側に配設される板状の落下防止体４と、を備えている。
【００１３】
衝突体２は、低反発性ウレタンフォーム（衝撃吸収材の一例）で形成された第１板状体２１と、前記低反発性ウレタンフォームより反発性の高いウレタンフォームで形成された第２板状体２２と、耐衝撃性を有する表面板２３と、を積層して構成され、第２板状体２２を第１板状体２１と表面板２３との間に介在させ、表面板２３にゴルフボールを直接衝突させるようになっている。低反発性ウレタンフォームとしてはクラボウ（株）のマザータッチ（商品名）の８５２ＥＡ（商品番号）が用いられ、低反発性ウレタンフォームより反発性の高いウレタンフォームとしては同マザータッチの８００ＥＡ（商品番号）が用いられる。衝撃吸収材は、低反発性ウレタンフォームには限られず、羽毛や綿などであっても良い。
表示部３は、屋外でゴルフを行うのと同じ条件又はそれに近い条件（屋外条件）の下で、ゴルフボールを打ってゴルフボールを転がす場合に、ゴルフボールが衝突体２に当たることなく打撃方向に移動する距離を表示するものである。すなわち、表示部３は、滑走板１のゴルフボールのスタート位置を示す目印６上に静止するゴルフボールが、衝突体２に向けて打撃されて滑走板１上を転がって衝突体２に衝突して跳ね返り、滑走板１上に静止する位置を示す目印５の近傍に、屋外条件下で同じ大きさの打撃力でゴルフボールを打ったときの移動距離を表示するものである。
【００１４】
屋外条件下でゴルフボールに打って該ゴルフボールを転がす場合とは、グランドゴルフにあっては、屋外のグランドゴルフのコースの地表面の条件又はそれとほぼ同じ条件下で、グランドゴルフ用のゴルフクラブでゴルフボールに打撃を与えて該地表面上を転がすことをいい、パークゴルフにあっては、屋外のパークゴルフのコースの地表面の条件又はそれとほぼ同じ条件下で、パークゴルフ用のゴルフクラブでゴルフボールに打撃を与えて該地表面上を転がすことをいう。
ところで、まさ土のグランド上でのゴルフボールの移動距離に対応する、室内ゴルフ練習具の滑走板１上でのゴルフボールの移動距離は次の通りである。なお、これらの移動距離は、同じ打撃具で同じ大きさの打撃力をゴルフボールに与えたときのものである。
【００１５】
グランド上での移動距離        滑走板上での移動距離
（１）            ５０ｃｍ                      ６０ｃｍ
（２）            ８０ｃｍ                      ９０ｃｍ
（３）        １０００ｃｍ                    １５０ｃｍ
（４）        １５００ｃｍ                    １８０ｃｍ
（５）        ２０００ｃｍ                    ２０５ｃｍ
そして、図３のように滑走板１のスタート位置から衝突板２の方向に６０ｃｍ離れた位置の近傍の落下防止体４には、グランド上での移動距離５０ｃｍを数値で表示する表示部３が設けられ、９０ｃｍのところには８０ｃｍを数値で表示する表示部３が設けられている。本実施形態の室内ゴルフ練習具では、滑走板１のスタート位置から衝突体２までの距離は１２０ｃｍであり、したがって、１０００ｃｍを数値で表示する表示部３は衝突体２からスタート位置の方向に３０ｃｍ（１５０ｃｍ−１２０ｃｍ）離れた位置の近傍の落下防止体４に設けられ、１５００ｃｍの表示部３は衝突体２から６０ｃｍ（１８０ｃｍ−１２０ｃｍ）離れた位置の近傍の落下防止体４に設けられ、２０００ｃｍの表示部３は衝突体２から８５ｃｍ（２０５ｃｍ−１２０ｃｍ）離れた位置の近傍の落下防止体４に設けられている。
（１）〜（３）ではクラブ振り上げ式の打撃具を使用し、（４）（５）ではばね式の打撃具を使用した。クラブ振り上げ式のものは、図４のように一定角度より振り下げたゴルフクラブ１００のヘッド１０１でゴルフボール１０２を打撃してゴルフボール１０２を転がすものであって、ゴルフクラブ１００のシャフト１０３の上端を自立フレーム１０４に枢着し、ゴルフクラブ１００の振り上げ角度を示す角度板１０５を自立フレーム１０４に取り付けて構成されている。ばね式のものは、コイルばねを圧縮させてその復元力によってゴルフボールを打撃して転がすものである。
【００１６】
なお、室内ゴルフ練習具は、滑走板１上にゴルフボールを置くことなく、滑走板１の延長上の床面をスタート位置としてこの位置からゴルフボールを打撃できるように構成しても良い。
【００１７】
また、室内ゴルフ練習具をパークゴルフとして使用する場合には、滑走板１の表面に人工芝を着脱自在に取り付けるようにし、また、パークゴルフをして用いる場合には、滑走板１にカップを設けるようにしても良い。
【図面の簡単な説明】
【００１８】
【図１】本発明の室内ゴルフ練習具の実施形態を示す斜視図である。
【図２】同実施形態の断面図である。
【図３】同実施形態の一部省略した斜視図である。
【図４】打撃具の斜視図である。
【符号の説明】
【００１９】
１      滑走板
２      衝突体
３      表示部
４      落下防止体
【図１】
2006110137.tif 000003
【図２】
2006110137.tif 000004
【図３】
2006110137.tif 000005
【図４】
2006110137.tif 000006